(57)【要約】【課題】ソースドライバにおける消費電力をより減少させることのできる表示装置を実現する。【解決手段】表示装置であって、マトリクス状に配置された複数の画素と、第１の電源と、前記第１の電源よりも低い電圧信号を供給する第２の電源と、複数のアンプを介して前記複数の画素に電圧信号を出力するドライバと、を含み、前記ドライバは、前記複数の画素に初期化電圧信号を出力する際には、前記第２の電源により前記複数のアンプを駆動し、前記初期化電圧を書きこんだ後階調値に応じた電圧信号を出力する際には、前記第１の電源で前記複数のアンプを駆動することを特徴とする。【選択図】図７
2017062353.tif 000002
【特許請求の範囲】
【請求項１】
マトリクス状に配置された複数の画素と、
第１の電源と、
前記第１の電源よりも低い電圧信号を供給する第２の電源と、
複数のアンプを介して前記複数の画素に電圧信号を出力するドライバと、を含み、
前記ドライバは、前記複数の画素に初期化電圧信号を出力する際には、前記第２の電源により前記複数のアンプを駆動し、前記初期化電圧を書きこんだ後階調値に応じた電圧信号を出力する際には、前記第１の電源で前記複数のアンプを駆動することを特徴とする表示装置。
【請求項２】
マトリクス状に配置された複数の画素と、
第１の電源と、
前記第１の電源よりも低い電圧信号を供給する第２の電源と、
複数のアンプを介して前記複数の画素に電圧信号を出力するドライバと、を含み、
前記ドライバは、前記各画素に階調値に応じた電圧信号の出力が終了した後の垂直ブランク期間には、前記第２の電源により前記複数のアンプを駆動することを特徴とする表示装置。
【請求項３】
前記垂直ブランク期間には、前記ドライバから前記複数の画素に出力される電圧は一定であることを特徴とする請求項２記載の表示装置。
【請求項４】
前記ドライバは、前記第１の電源及び第２の電源と接続された選択スイッチを有し、前記選択スイッチにより、前記複数のアンプは前記第１の電源または第２の電源で駆動されることを特徴とする請求項１乃至３のいずれかに記載の表示装置。
【請求項５】
前記各画素は、自発光素子と、駆動トランジスタを含むことを特徴とする請求項１乃至４のいずれかに記載の表示装置。
【発明の詳細な説明】
【技術分野】
【０００１】
本発明は、表示装置に関する。
【背景技術】
【０００２】
例えば、下記特許文献１には連続する２フレーム期間において、輝度の異なる表示を行う液晶表示装置が開示されている。当該液晶表示装置においては、連続する２フレーム期間のうち、輝度の高いフレーム期間において第１電源電圧をドライバに供給し、輝度の低いフレーム期間においては第１電源電圧より低い第２電源電圧をドライバに供給する。これにより、ドライバの発熱量を防止する。
【先行技術文献】
【特許文献】
【０００３】
【特許文献１】特開２００８−３０９８３９号公報
【発明の概要】
【発明が解決しようとする課題】
【０００４】
駆動トランジスタの閾値を補正するため、映像信号を画素に書き込む前に、例えば１．２Ｖの所定電圧（Vｉｎｉ）を書き込む初期化を行う有機ＥＬ表示装置において、当該書き込みはソースドライバを用いて行われるが、ソースドライバに含まれるアンプの電源は上記所定電圧を書き込みについても、映像信号を書きこむ際に必要となる、例えば、５Ｖ程度の電源（AVDD）が使用されている。
【０００５】
本発明は、ソースドライバにおける消費電力をより減少させることのできる表示装置を実現する。
【課題を解決するための手段】
【０００６】
（１）本発明の表示装置は、マトリクス状に配置された複数の画素と、第１の電源と、前記第１の電源よりも低い電圧信号を供給する第２の電源と、複数のアンプを介して前記複数の画素に電圧信号を出力するドライバと、を含み、前記ドライバは、前記複数の画素に初期化電圧信号を出力する際には、前記第２の電源により前記複数のアンプを駆動し、前記初期化電圧を書きこんだ後階調値に応じた電圧信号を出力する際には、前記第１の電源で前記複数のアンプを駆動することを特徴とする。
【０００７】
（２）表示装置であって、マトリクス状に配置された複数の画素と、第１の電源と、前記第１の電源よりも低い電圧信号を供給する第２の電源と、複数のアンプを介して前記複数の画素に電圧信号を出力するドライバと、を含み、前記ドライバは、前記各画素に階調値に応じた電圧信号の出力が終了した後の垂直ブランク期間には、前記第２の電源により前記複数のアンプを駆動することを特徴とする。
【０００８】
（３）上記（２）に記載の表示装置において、前記垂直ブランク期間には、前記ドライバから前記複数の画素に出力される電圧は一定であることを特徴とする。
【０００９】
（４）上記（１）乃至（３）のいずれかに記載の表示装置において、前記ドライバは、前記第１の電源及び第２の電源と接続された選択スイッチを有し、前記選択スイッチにより、前記複数のアンプは前記第１の電源または第２の電源で駆動されることを特徴とする。
【００１０】
（５）上記（１）乃至（４）のいずれかに記載の表示装置において、前記各画素は、自発光素子と、駆動トランジスタを含むことを特徴とする。
【図面の簡単な説明】
【００１１】
【図１】本発明の実施形態に係る有機ＥＬ表示装置を示す概略図である。
【図２】図１に示した有機ＥＬ表示装置の回路構成の一例について説明するための図である。
【図３】図１に示した有機ＥＬ表示装置の回路図の一例を示す図である。
【図４】ソースドライバの主な構成について説明するための図である。
【図５】アンプ部の構成について説明するための図である。
【図６】１垂直期間（１Ｖ期間）におけるソースドライバの出力の一例を示す図である。
【図７】図６の一部を拡大した波形及びアンプの電源との関係とを示す図である。
【発明を実施するための形態】
【００１２】
以下、本発明の実施形態について、図面を参照しつつ説明する。なお、図面については、同一又は同等の要素には同一の符号を付し、重複する説明は省略する。
【００１３】
図１は、本発明の実施形態に係る有機ＥＬ表示装置を示す概略図である。有機ＥＬ表示装置１は、上フレーム２と、下フレーム３と、上フレーム２と下フレーム３とで挟まれるように固定された有機ＥＬパネル１０とから構成されている。なお、図１に示した概略図は一例であって、本実施の形態はこれに限定されるものではない。
【００１４】
図２は、図１に示した有機ＥＬ表示装置の回路構成の一例について説明するための図である。有機ＥＬパネル１０は、データ駆動回路１２及び走査駆動回路１３によって、基板１００上の表示領域１１に形成された各画素を制御し、画像を表示する。ここで、例えば、データ駆動回路１２は、各画素に送るデータ信号を生成・発信するＩＣ（Integrated Circuit）である。また、走査駆動回路１３は、画素に備えられたＴＦＴ（Thin Film Transistor：薄膜トランジスタ）へのゲート信号を生成・発信する回路であって、例えば、ＬＴＰＳ工程（低温ポリシリコン工程）を用いて基板上に直接形成する。なお、図２において、データ駆動回路１２及び走査駆動回路１３は、２箇所に形成されるものとして記載されているが、一つのＩＣに組み込まれていてもよい。また、データ駆動回路１２は、例えば、上記のようにＬＴＰＳで製造してもよいし、ＬＴＰＳと同様の性能が出せる限りＩＣで実装してもよい。
【００１５】
走査駆動回路１３からの信号を伝える走査線１４は、後述するスイッチトランジスタ３０のゲート電極に接続される。また、データ駆動回路１２からの信号を伝えるデータ線１５は、スイッチトランジスタ３０のソース・ドレイン電極に接続される。電源配線１６には、有機発光ダイオード６０に発光させるための基準電位が印加され、ドライバトランジスタ２０のソース・ドレイン電極に接続される。第１の電源配線１７及び第２の電源配線１８は電位供給源に接続され、トランジスタを介して電源配線１６に接続される。なお、図２に示した回路構成は一例であって、本実施の形態は上記に限定されるものではない。
【００１６】
図３は、図１に示した有機ＥＬ表示装置の回路図の一例を示す図である。有機ＥＬパネル１０の表示領域１１には、データ線１５がＤ１からＤｎまでｎ本形成されており、走査線１４がＧ１からＧｍまでｍ本形成されている。複数の画素ＰＸがマトリクス状に、走査線１４の延在方向及びデータ線１５延在方向に配置されている。例えば、Ｇ１とＧ２、Ｄ１とＤ２で囲まれる部分に画素ＰＸが形成される。
【００１７】
第１の走査線Ｇ１はスイッチトランジスタ３０のゲート電極に接続されており、走査駆動回路１３から信号が印加されると、スイッチトランジスタ３０がオン状態になる。そこでデータ駆動回路１２から第１のデータ線Ｄ１に信号が印加されると、蓄積容量４０に電荷が蓄積され、ドライバトランジスタ２０のゲート電極に電圧が印加されて、ドライバトランジスタ２０がオン状態になる。ここで、スイッチトランジスタ３０がオフ状態となっても、蓄積容量４０に蓄えられた電荷により、一定期間はドライバトランジスタ２０がオン状態になる。有機発光ダイオード６０の陽極はドライバトランジスタ２０のソース・ドレイン間を通じて電源配線１６に接続されており、有機発光ダイオード６０の陰極は基準電位Ｖｃに固定されているから、ドライバトランジスタ２０のゲート電圧に応じて有機発光ダイオード６０に電流が流れ、有機発光ダイオード６０が発光する。また、付加容量５０が有機発光ダイオード６０の陽極と陰極との間に形成される。付加容量５０は、蓄積容量４０に書き込まれる電圧を安定させる効果を発揮し、有機発光ダイオード６０の安定動作に寄与する。具体的には、蓄積容量４０の静電容量よりも付加容量５０の静電容量が大きくなるようにすることで当該効果が発揮される。
【００１８】
次に、閾値（Ｖｔｈ）補正時（初期化時）の動作の一例について図３を用いて説明する。まず、電源配線１６をロー電位にすることで、Ｂ点がロー電位となり、同時にＡ点の電位も低下し、発光が停止する。次に、データ線１５に閾値補正に使用する基準電圧Ｖｉｎｉ（閾値補正の基準電圧）を印加した状態でスイッチトランジスタ３０をオンとし、Ａ点の電位にＶｉｎｉを書きこむ。この時ドライバトランジスタ２０のゲートソース間電圧Ｖｇｓは、Ｖｇｓ＝Ｖｉｎｉ−Ｖｃｃ＞Ｖｔとなる。なお、Ｖｃｃは、有機ＥＬを発光させるための電圧で電源配線１６の電位を表し、Ｖｔは閾値電圧を表す。次の閾値補正期間においては、ＡＢ間電圧Ｖｇｓが閾値Ｖｔとなる電圧（Ｖｉｎｉ―Ｖｔ）までＢ点の電位が上昇し、閾値が補正される。次の信号書き込みと移動度補正期間では、Ａ点の電位が当該画素に表示させたいデータ電圧になると同時にドライバトランジスタ２０の能力に応じて、移動度補正が行われる。次の発光期間では、閾値と移動が補償された状態で有機発光ダイオード６０を発光させる。ここで、第１の電源配線１７の電位は、リセット電位（Ｖｒｓｔ）である。第２の電源配線１８は、有機発光ダイオード６０を発光するための電源（ＥＬ電源）である。なお、データ駆動回路１２から第１のデータ線にＶｉｎｉが印加された電源配線１６には選択スイッチで第１の電源配線１７が接続されて、スイッチトランジスタ３０をオンすることで、閾値補正される。図３に示した回路構成は一例であって、本実施の形態は上記に限定されるものではない。例えば、初期化時に有機発光ダイオード６０を発光しないような回路構成としてもよい。
【００１９】
図４は、ソースドライバの主な構成について説明するための図である。図４に示すように、ソースドライバ４００は、主に、アンプ部４０１（AMP）、コンバータ部４０２（DAC）、ラインラッチ部４０３(Line Latch)、信号生成部４０４、インターフェース部４０５(I/F)を有する。
【００２０】
アンプ部４０１は、コンバータ部４０２から取得した各階調電圧信号を、信号生成部４０４からの選択信号に応じて各データ線１５に出力する。また、アンプ部４０１は、第１の電源（AVDD）と、第２の電源（VDD）に接続される。アンプ部４０１は、例えば、後述するように選択スイッチ５０１を有する。当該選択スイッチ５０１は、信号生成部４０４からの選択信号に応じて制御され、アンプ部４０１は、当該選択スイッチ５０１が当該制御信号に応じて切り換えられることにより、第１または第２の電源により駆動される。具体的には、例えば、アンプ部４０１は、図５に示すように、複数のアンプ５０２を有し、各アンプ５０２は、選択スイッチ５０１を介して第１の電源または第２の電源に接続される。つまり、複数のアンプ５０２は、第１の電源または第２の電源により駆動される。また、複数のアンプ５０２には、コンバータ部４０２からの出力信号が入力され、映像信号として、各画素に出力される。
【００２１】
コンバータ部４０２は、ラインラッチ部４０３から取得した１行分のデジタル映像信号をＤＡ変換及びガンマ補正し、アンプ５０２部４０１に階調電圧を表す信号としてアンプ部４０５に出力する。当該階調信号を表す信号は映像信号として、上記アンプ５０２部４０１及びデータ駆動回路１２を介して各画素に出力される。
【００２２】
ラインラッチ部４０３は、入力されたデジタル映像信号を、所定数の画素ライン分格納する。ここで、画素ラインとは、例えば、マトリクス状に配置された複数の画素で構成される１行に相当するものとする。また、ラインラッチ部４０３は、入力されたタイミング信号に応じてデジタル映像信号を１の画素ライン毎にコンバータ部４０２に出力する。
【００２３】
信号生成部４０４は、いわゆるタイミングコントローラであって、インターフェース部４０５を介して入力されたコントローラ（図示なし）からの制御信号に基づいて、走査駆動回路１３やデータ駆動回路１２等の各部の動作を制御する。また、信号生成部４０４は、上記選択信号を生成する。また、上記第１の電源及び第２の電源からの出力信号はインターフェース部４０５を介して入力される。
【００２４】
次に、図６及び図７を用いて、本実施の形態における表示装置の動作について説明する。図６は、１垂直期間（１V期間）におけるソースドライバの出力（ソース出力）の一例を示し、図７は、図６の一部（６０１）を拡大した波形及びアンプ５０２の電源との関係とを示す図である。
【００２５】
図６及び図７に示すように、画素への書き込みが行われる映像期間においては、ソースドライバ４００は、各画素に、初期化電圧（VINI）を出力した後、各画素への階調信号に応じた信号を出力する。ここで、本実施の形態においては、アンプ５０２の駆動電源については、ソースドライバ４００が画素に初期化電圧を出力する場合には、第２の電源（VDD）が用いられ、ソースドライバ４００が画素への階調信号に応じた信号を画素に出力するには第１の電源（AVDD）が用いられるように、選択スイッチ５０１を制御する。なお、当該選択スイッチ５０１は、上述のように、信号生成部４０４からの選択信号により制御される。これにより、第１の電源よりも低い電圧を有する第２の電源を用いてアンプ５０２を駆動して初期化電圧を出力できることから、初期化電圧についても第１の電源を用いてアンプ５０２を駆動して出力する場合と比べ、電力を削減することができる。
【００２６】
また、図６及び図７に示すように、垂直ブランク期間（Vブランク期間）については、ソースドライバ４００は、所定の一定電圧、例えば、初期化電圧を出力するように構成する。当該垂直ブランク期間においては、アンプ５０２の駆動電源としては第２の電源（
VDD）を用いる。これにより、垂直ブランク期間においても、第１の電源(AVDD)を用いてアンプ５０２を駆動して出力する場合と比べ、電力を削減することができる。
【００２７】
本発明は、上記実施の形態に限定されるものではなく、種々の変形が可能である。例えば、上記実施の形態で示した構成と実質的に同一の構成、同一の作用効果を奏する構成又は同一の目的を達成することができる構成で置き換えることができる。例えば、上記においては、映像期間において初期化電圧を出力する場合及び垂直ブランク期間において初期化電圧を出力する場合の両者において第２の電源（VDD）を用いてアンプ５０２を駆動する場合について説明した。しかしながら、例えば、映像期間において初期化電圧を出力する場合または垂直ブランク期間において初期化電圧を出力する場合の一方において第２の電源（VDD）を用いてアンプ５０２を駆動するように構成してもよい。
【符号の説明】
【００２８】
１０  有機ＥＬパネル、１１  表示領域、１２  データ駆動回路、１３  走査駆動回路、１４  走査線、１５  データ線、１６  電源配線、１７  第１の電源配線、１８  第２の電源配線、２０  ドライバトランジスタ、３０  スイッチトランジスタ、４０  蓄積容量、５０  付加容量、６０  有機発光ダイオード、４００  ソースドライバ、４０１  アンプ部、４０２  コンバータ部、４０３  ラインラッチ部、４０４  信号生成部、４０５  インターフェース部、５０１  選択スイッチ、５０２  アンプ。
【図１】
2017062353.tif 000003
【図２】
2017062353.tif 000004
【図３】
2017062353.tif 000005
【図４】
2017062353.tif 000006
【図５】
2017062353.tif 000007
【図６】
2017062353.tif 000008
【図７】
2017062353.tif 000009